(57)【特許請求の範囲】
【請求項１】
剥離紙と剥離紙の間に両面粘着層を設け、前記粘着層に固定用及び/又は疑似餌用の糸を備えることを特徴とする疑似餌着色両面テープ。
【請求項２】
前記両面粘着層に、更に別の疑似餌材料を取り付けることを特徴とする請求項１に記載の疑似餌着色両面テープ。
【請求項３】
前記糸の端部に、片面テープ又は両面テープを備えることを特徴とする請求項１又は２に記載の疑似餌着色両面テープ。
【発明の詳細な説明】
【技術分野】
【０００１】
本発明は、剥離紙と剥離紙の間に両面粘着層を設け、その粘着層に着色物を備えて着色両面粘着層としたことを特徴とする疑似餌着色両面テープに関するものである。
【背景技術】
【０００２】
擬餌針を作る様々な作業とは、一般的には針と疑似餌材料を密着させる第１工程の密着作業、密着させた上から糸を巻いて、針に疑似餌材料を固定させる第２工程の糸巻作業、巻き終わった糸に接着剤を用いて接着する第３工程の接着作業、巻き終わった糸を接着した後に結び目や針の最後尾に着色剤（蓄光塗料等を使用）で着色する第４工程の着色作業、以上の、四種類の工程の作業が必要であった。
【０００３】
これを、省略する先行技術としては、従来は、既成の両面テープを疑似餌材料の端に付けるという技法や、着色された片面テープを疑似餌材料の端に備えるものはあったが、両面テープの基材や粘着層に着色物を備えて着色両面粘着層としたことを特徴とする疑似餌着色両面テープはなかった。  
【０００４】
尚、以下においては、本発明の疑似餌着色両面テープのことを本発明着色両面テープと表記して説明する。
【先行技術文献】
【特許文献】
【０００５】
特許文献では、擬餌針作成や釣り具に使用する目的で、両面テープの基材や粘着層に着色物を備える文献は見当たらなかった。但し、擬餌針を作成する際の手段についての非特許文献としては下記のものがある。
【非特許文献】
【０００６】
【非特許文献１】インターネットのＷＥＢサイトhttp://www7b.biglobe.ne.jp/~toppenoturi/sabiki/sabiki.htm  ではサビキ仕掛けの作り方が公開されている。これは単に皮状の疑似餌材料の先端に既成の両面テープを短く張り付けて、これに糸状の疑似餌材料を内側に貼り付けて、針に密着固定させる技法を用いているに過ぎない。
【０００７】
この手段では、０００２で前述した針と疑似餌材料を密着させる密着作業の第１工程は省略できる効果があるのみで、糸を用いて固定する糸巻作業の第２工程、接着剤を用いて接着する接着作業の第３工程、及び針の最後尾に着色剤で着色する着色作業の第４工程を行わなければならない。この公開においては第４工程の着色の代わりに蛍光玉を用いている。００２３で後述する手段で、本発明着色両面テープを使用すれば、０００２で前述した、擬餌針作成に必要な四種類の全ての工程を省略することが出来る。
【０００８】
【非特許文献２】インターネットのＷＥＢサイトhttp://plaza.rakuten.co.jp/tairyouyoshimaru/diary/?ctgy=8 では簡単サビキ作りが公開されている。これは単に、フラッシャーを束ねる為と、これを針に密着させる為に、既成の両面テープを備える技法にすぎず、０００２で前述した、針と疑似餌材料を密着させる密着作業の第１工程は省略できる効果があるのみで、糸を用いて固定する糸巻作業の第２工程、接着剤を用いて接着する接着作業の第３工程、及び針の最後尾に着色剤で着色する着色作業の第４工程を行わなければならない。
【０００９】
この公開では、第２工程の糸巻作業の後の、第３工程の接着作業と第４工程の着色作業の代わりに着色されたチューブの圧入で代用しているが、このチューブの圧入手段では接着による固定に比べると弱く水中でばらける可能性がある。本発明着色両面テープを使用すれば、接着をしなくても、水中でばらける心配がなく、００２３で後述する手段で、本発明着色両面テープを使用すれば、０００２で前述した、擬餌針作成に必要な四種類の全ての工程を省略することが出来る。
【００１０】
【非特許文献３】インターネットのＷＥＢサイトhttp://sky.geocities.jp/heigun2009/turi.htm ではアワビバケの作り方が公開されている。これは単に、疑似餌材料の端に、既成の両面テープを備える技法にすぎず、針と疑似餌材料との密着作業の第１工程、糸巻作業の第２工程、接着作業の第３工程は省略されるが、第４工程の着色作業を行わねばならない。
【００１１】
又、本発明着色両面テープに比べて疑似餌材料に貼り付けた部分の既成の両面テープは、片面にしか粘着層を備えなくなるので、００２３で後述する針の固定に対する補強が不十分なので、水中でばらける可能性がある。このため、これで公開されているタコベイトに似せたアワビバケの作り方では、０００２における第３工程の接着作業と第４工程の着色作業の代わりに着色されたチューブを使用して圧入しなければならない。００２３で後述する方法で、本発明着色両面テープを使用すれば、０００２で前述した、擬餌針作成に必要な四種類の全ての工程を省略することが出来る。
【００１２】
【非特許文献４】インターネットのＷＥＢサイトhttp://www.duel.co.jp/catalogue/lineup/y_other/new_rbw_tin/index.html では市販されている疑似餌材料ニューレインボーティンセルが公開されている。これは単に、疑似餌材料の端に、着色片面テープを備える技法にすぎない。
【００１３】
これは、着色された基材の内側のみにしか粘着層を持たない片面粘着層なので、００２３で後述する本発明着色両面テープが持つ外側の粘着層を利用した強固な固定が出来ない。
【発明の概要】
【発明が解決しようとする課題】
【００１４】
本発明着色両面テープは、擬餌針作成時における様々な作業を省略する事を第一の課題とする。
【００１５】
更に、従来は、針の根元部分の魚の歯によるハリスの切断を防ぐためには、接着剤でビニールパイプをハリスの根元へ固定する手段や、針にケプラー繊維の糸を括りつけて、その先にハリスを結びつける手段で対応してきたが、本発明着色両面テープは、擬餌針作成時に、上述した針の根元部分の魚の歯によるハリスの切断を防止する事を第二の課題とする。
【００１６】
更に、従来は、ルアー等を、天候等の状況において、配色や形状を変える場合には、ルアー自体を取り換えねばならず、又、ルアーの配色を変える為に、着色された片面テープをルアーに巻き付ける手段があるが、この手段では、水中での使用時では片面テープが剥がれ易い欠点があった。本発明着色両面テープは、ルアー自体を取りかえることなく、釣り場で即座に違う配色や形状の擬餌針やルアー類に作り変える事を第三の課題とする。
【課題を解決するための手段】
【００１７】
剥離紙と剥離紙の間に両面粘着層を設け、その粘着層に着色物を備えて着色両面粘着層とし、製品完成時に、その両面の粘着力を利用して重ね巻きして固定する事が出来ることを特徴とする本発明着色両面テープを作成する。
【００１８】
前記着色両面粘着層に、固定用及び又は、疑似餌用の糸を備えることを特徴とする本発明着色両面テープを作成する。
【００１９】
前記着色両面粘着層に、更に別の疑似餌材料を取り付けることを特徴とする本発明着色両面テープを作成する。
【００２０】
前記糸の端部に、片面テープ又は両面テープを備えることを特徴とする本発明着色両面テープを作成する。
【発明の効果】
【００２１】
剥離紙と剥離紙の間に両面粘着層を設け、その粘着層に着色物を備えて着色両面粘着層とし、製品完成時に、その両面の粘着力を利用して重ね巻きして固定する事が出来ることを特徴とする本発明着色両面テープを作成する。この効果を以下に述べる。
【００２２】
外側に着色物を備えて、その内側のみに粘着層を持つ片面テープを針に重ね巻きする手段で擬餌針を作成すると、粘着層が片面にしかないので、重ね巻きをしても、本発明着色両面テープが持つ両面の粘着層の重ね巻に比べて水中では剥がれ易い。又、前記片面テープを水中で剥がれにくくする為には、厚く重ね巻きをしなければならず、その厚さゆえに水中での抵抗が強く、擬餌針の作成に適さない欠点があった。
【００２３】
本発明着色両面テープを針に重ね巻きする手段で擬餌針を作成すると、粘着層が両面にあるので、重ね巻き効果で補強される。針への薄い重ね巻きであっても、重ね巻きの後に、指先で捻じ曲げれば、前記片面テープと比べて水中で剥がれにくい、針への固定が補強された着色物を備えた粘着物となるので、それだけでも着色物を備えた擬餌針が完成する。
【００２４】
又、着色物を備えない、既成の両面テープは前記重ね巻きによって水中で剥がれにくくなるが、それのみを針に巻き付けた場合は着色物を備えていないので、着色物を備えた擬餌針を完成することが出来ない。本発明着色両面テープが持つ着色物は、全ての色を示すが、特に擬餌針に一般的に使われる、蓄光色、蛍光色、金属色、ホログラム色、魚皮色等を使う事で、それのみを針に巻き付けただけで、従来の一般的な擬餌針が完成する。  
【００２５】
前記着色両面粘着層に、固定用及び又は、疑似餌用の糸を備えることを特徴とする本発明着色両面テープを作成する。この効果を以下に述べる。  
【００２６】
本発明着色両面テープは、針に重ね巻きするだけで擬餌針が完成出来ることについては前述したが、前記両面粘着層の両端又は片端から突出する糸を備えることにより、前記糸を巻き付けることによる固定手段を用いた場合、本発明着色両面テープを針やハリスに、より一層強固に固定することが出来る。
【００２７】
又、本発明着色両面テープが両面に備える粘着層の効果で、前記糸はこの粘着層に絡みつき貼り付くので、最終的な糸の結び止めだけで強固に粘着固定されるので、擬餌針作成時の第３工程の接着作業の必要がない。
又、００３８以降で後述する実施例では、疑似餌作成時において前記糸の疑似餌用としての使用方法についても説明している。
【００２８】
前記着色両面粘着層に、更に別の疑似餌材料を取り付けることを特徴とする本発明着色両面テープを作成する。この効果を以下に述べる。擬餌針は魚種や地域によって糸や皮やビニール紐や毛糸及びエビや虫に外観を似せたもの等の、様々な形態の疑似餌材料が組み合わされて使用される場合がある。本発明着色両面テープの着色両面粘着層には、蛍光色や蓄光色はもちろん、全ての色が着色目的として使用されるが、本発明着色両面テープに、新たに前記疑似餌材料を付ける事で、その魚種や地域に合わせた様々な種類の擬餌針作成が容易になる。００６６に後述する手段で、疑似餌材料を取り付けることを特徴とする本発明着色両面テープを使用すれば、０００２で前述した、擬餌針作成に必要な四種類の全ての工程を省略することが出来る。
【００２９】
前記糸の端部に、片面テープ又は両面テープを備えることを特徴とする本発明着色両面テープを作成する。この効果を以下に述べる。本発明着色両面テープが備える糸を巻き付けて結び止めする事により、強固な固定をすることが出来るが、前記糸の先端に片面テープまたは両面テープを備える事で、最終的な結び止めは不要となり、前記糸を巻き終わった後に、本発明着色両面テープに、前記糸の端部にあるテープを、貼り付けるだけでお互いのテープの粘着力の効果で、最終的な糸の結び止めをしなくても強固な固定が完了する。
【００３０】
尚、この先端に付けるテープは本発明着色両面テープ以外の既成の片面テープや既成の両面テープでも、この効果をもたらす粘着層を備えたものであれば構わない。
【図面の簡単な説明】
【００３１】
【図１】着色された基材３を用いた本発明着色両面テープ１aの断面図。
【図２】着色された粘着層４ａを用いた本発明着色両面テープ１ｂの断面図。
【図３】本発明着色両面テープ１の側面図。
【図４】本発明着色両面テープ１に両端から突出する糸２a、２ｂを備えさせた側面図。
【図５】本発明着色両面テープ１aに両端から突出する糸２a、２ｂを備えさせた断面図。
【図６】本発明着色両面テープ１ｂに両端から突出する糸２a、２ｂを備えさせた断面図。
【図７】糸状の疑似餌材料２ｃ、２ｄを備えさせた本発明着色両面テープ１ａの一対の剥離紙５，５´を剥がした状態の本発明着色両面テープ１ａ´の側面図。
【図８】糸状の疑似餌材料２ｄの先端を三重のループ状にした本発明着色両面テープ１の側面図。
【図９】ハリス８で結んだ針７の側面図。
【図１０】ハリス８で結んだ針７の根元に本発明着色両面テープ１を貼り付けた状態の側面図。
【図１１】ハリス８で結んだ針７の根元に本発明着色両面テープ１を糸状の疑似餌材料２ｃで巻き付けた側面図。
【図１２】本発明着色両面テープ１を使用した擬餌針の完成図。
【図１３】本発明着色両面テープ１を使用した擬餌針の完成図。
【図１４】糸状の疑似餌材料２ｃ、２ｄを備えさせた、幅広の二等辺三角形の形状の本発明着色両面テープ１の一対の剥離紙５，５´を剥がした状態の側面図。
【図１５】本発明着色両面テープ１の内側の粘着層４に糸状の疑似餌材料２ｄの先端を三重のループ状にして貼り付けたものを、この内側の粘着層４が持つ粘着力で既成のルアー９の尾鰭の根元部分に、貼り付けた状態の側面図。
【図１６】本発明着色両面テープ１、１´を使用してルアー９に装着させた使用例の完成図。
【図１７】本発明着色両面テープ１を錘１０に装着させた使用例の完成図。
【図１８】本発明着色両面テープ１をテンビン１１に装着させた使用例の完成図。
【図１９】本発明着色両面テープ１をサルカン１３に装着させた使用例の完成図。
【図２０】本発明着色両面テープ１を回転ビーズ１４に装着させた使用例の完成図。
【図２１】本発明着色両面テープ１をテグス１２に装着させた使用例の完成図。
【図２２】本発明着色両面テープ１をテグス１２に装着させた使用例の完成図。
【図２３】本発明着色両面テープ１で浮力を持つものを包み込んでテグス１２に装着させた使用例の完成図。
【図２４】本発明着色両面テープ１に両端から突出する糸状の疑似餌材料２ｃ、２ｄを備えさせた側面図。
【図２５】菱形の皮状の疑似餌材料１５の正面図。
【図２６】図２４の本発明着色両面テープ１の粘着層４に、図２５の皮状の疑似餌材料１５を備えた疑似餌材料付き本発明着色両面テープ１６の側面図。
【図２７】図２６の断面図。
【図２８】糸状の疑似餌材料２ｄの先端を三重のループ状にして、本発明着色両面テープ１の粘着層４に貼り付けた状態の疑似餌材料付き本発明着色両面テープ１６の側面図。
【図２９】疑似餌材料付き本発明両面テープ１６を使用した擬餌針の完成図。
【図３０】疑似餌材料付き本発明両面テープ１６を使用した擬餌針の完成図。
【図３１】ケプラー繊維糸２ｅ、２ｆに本発明着色両面テープ１、１´、１´´を取り付けた状態の側面図。
【図３２】針７を結んだハリス８の根元に本発明着色両面テープ１を、ケプラー繊維糸２ｅで巻き付けた状態の側面図。
【図３３】本発明着色両面テープ１、１´、１´´の複数を使用した擬餌針の完成図。
【発明を実施するための形態】
【００３２】
本発明着色両面テープ１とは、図１の断面図で示す両面テープの中心部に、着色物６で着色された基材３を用い、その外側に一対の粘着層４、４´を設け、更にその外側に一対の剥離紙５、５´を設けた形態の本発明着色両面テープ１ａ、又は、図２の断面図で示す着色物６を含ませた着色粘着層４ａの外側に一対の剥離紙５、５´を設けた形態の本発明着色両面テープ１ｂを示す。尚、全ての図において×印は着色物６を示している。  
【００３３】
本発明着色両面テープ１を菱形にしたものの側面図を図３で示す。
【００３４】
図３で示す、本発明着色両面テープ１の一対の剥離紙５、５´の間に挟まれて、菱形の右方先端から突出した糸２ａと、菱形の左方末端からの突出した糸２ｂを備えた形態の、本発明着色両面テープ１を図４で示す。
【００３５】
図４の断面図を図５、図６で示すが、図５では図１で示す前記本発明着色両面テープ１ａに糸２ａ、２ｂを備えたものを示し、図６では図２で示す前記本発明着色両面テープ１ｂに糸２ａ、２ｂを備えたものを示す。
【００３６】
図５で示す糸２ａ、２ｂを備えた前記本発明着色両面テープ１ａが持つ一対の前記剥離紙５、５´を剥がした状態が図７で示す本発明着色両面テープ１ａ´であり、図７では前記糸２ａ、２ｂの代わりに、糸状の疑似餌材料２ｃ、２ｄを使用している。
【００３７】
以後においては、前記図７で示す一対の前記剥離紙５、５´を剥がした状態の本発明着色両面テープ１ａ´も、本発明着色両面テープ１と表記して説明を行う。
【００３８】
まず、実施例１では、図７で示す糸状の疑似餌材料２ｃ、２ｄを備えた本発明着色両面テープ１の擬餌針作成における使用例を述べる。
【００３９】
図８は本発明着色両面テープ１が備えた糸状の疑似餌材料２ｄの先端を三重のループ状に折り返して、内面の粘着層４に貼り付けた状態を示す。００４２で後述するが、擬餌針作成作業の終了時に糸状の疑似餌材料２ｄのループ状の折り返し部分をハサミ等で切る手段で、後述する図１２、図１３で示す６本の糸状の疑似餌２ｄ´が針の尻部分に出来上がる。
【００４０】
図９は、針７をハリス８で結んだ側面図である。図１０は図９で示すハリス８で結んだ針７に、図８で示す糸状の疑似餌材料２ｄの先端を三重のループ状に折り返した状態の本発明着色両面テープ１を、ハリス８で結んだ針７の根元に内側の粘着層４で貼り付けて固定させた状態を示す。
【００４１】
図１１は、図１０で示す針７の根元に内側の粘着層４で貼り付けた本発明着色両面テープ１を針７の内側に二つ折りに折り込んで、その外側に糸状の疑似餌材料２ｃを巻き付けたものを示す。このようにして針７の根元に内側の粘着層４で貼り付けられた本発明着色両面テープ１は、針７の根元に糸状の疑似餌材料２ｃによって、外側の粘着層４´に巻き付けて固定される。
【００４２】
次に、図１２で示すように、糸状の疑似餌材料２ｃをきつく縛って結び止めＡを行うと、本発明着色両面テープ１は、外側にも粘着層４´があるので、糸状の疑似餌材料２ｃは接着剤による接着作業をおこなわなくても、外側の粘着層４´が持つ粘着力により、粘着層４´に絡みついて貼り付けられるので、針７の根元にしっかりと固定される。そして、００３９で前述したように糸状の疑似餌材料２ｄの先端のループ状の折り返しをハサミ等で切ると、図１２で示す６本の糸状の疑似餌材料２ｄ´を針７の尻に備えたうえに、針７からハリス８の根元部分にかけて着色物６を持つ擬餌針が完成する。
【００４３】
又、図１３で示すように、ハリス８の根元部分に図１４で示す二等辺三角形の幅の広い本発明着色両面テープ１を取り付け、この右方先端から突出した糸状の疑似餌材料２ｃを巻き付けた場合は、ハリス８の根元部分に着色物６が長く巻き付いた疑似針が出来上がるので、本来の疑似針の作成はもちろん、本発明着色両面テープ１と巻き付けられた糸状の疑似餌材料２ｃによって針７の根元部分のハリス８が幅広く強化されるので魚の歯によるハリス８の切断を防ぐことが出来る。    
【００４４】
尚、本発明着色両面テープ１は両面に粘着力を持つので、外側の一対の剥離紙５、５´を剥がして、針７の根元に重ね巻きをすれば、それのみでも両面が備える粘着力の重ね巻き効果で、片面のみの粘着層を利用する片面テープに比べて水中で剥がれにくく、針７への固定が補強される。００２３、００２４で前述したように、この重ね巻きの後に、指先で巻いた部分を捻じ曲げれば、それだけで水中で剥がれにくい着色物６を備えた粘着物となるので、上記糸状の疑似餌材料２ｃを備えなくても、それのみでも着色物６を備えた擬餌針が完成する。
【００４５】
実施例２では、ルアー９に本発明着色両面テープ１を装着する場合の使用例を述べる。前記ルアー９は前記針７より大きい為、図１４で示す二等辺三角形の幅の広い形状の本発明着色両面テープ１を使用する。
【００４６】
前記ルアー９は、天候等によるコンディションによって、蛍光や蓄光等の様々な着色の配色を、その状況で、前記ルアー９を変化させることで釣果が大きく左右される。本発明着色両面テープ１を用いる事で、釣り場で瞬時にその状況にあわせて前記ルアー９の配色や形状を変える事が可能である。又、本発明着色両面テープ１の着色物６に、夜光塗料を使用すれば、暗がりでの発色効果を備えることが出来る。
【００４７】
図１５は、００３９と同様の手段で、図１４で示す本発明着色両面テープ１の内側の粘着層４に糸状の疑似餌材料２ｄの先端を三重のループにして貼り付けたものを、この内側の粘着層４が持つ粘着力で既成のルアー９の尾鰭の根元部分に、貼り付けた状態を示す。
【００４８】
尚、この実施例２では、図１５で示すように、本発明着色両面テープ１から突出する前記糸状の疑似餌材料２ｃの先端にも、本発明着色両面テープ１´を備えさせている。本発明着色両面テープ１と本発明着色両面テープ１´は、同じ配色の場合もあれば、違う配色を用いて色に変化を持たせる場合がある。
【００４９】
図１６では図１５で示す尾鰭の根本部分に貼り付けられた状態の本発明着色両面テープ１を内側の粘着層４と外側の粘着層４´が持つ粘着力の重ね巻きで尾鰭の根元部分に装着したうえで、固定用の糸状の疑似餌材料２ｃが巻き付けられた外側の粘着層４´の上に、前記２ｃの先端に備えた本発明着色両面テープ１´を貼り付ける事で、本発明着色両面テープ１の外面の粘着層と、本発明着色両面テープ１´の内面の粘着層が、この双方が持つ粘着層の効果で、水中で剥がれにくい補強された固定をすることが出来る。又、図１５に示す３重のループ状に折り返した糸状の疑似餌材料２ｄは、ハサミ等で切る事により６本の糸状の疑似餌２ｄ´が針の尻部分に出来上がる。    
【００５０】
尚、実施例２も実施例１同様に、００４４で前述したように、本発明着色両面テープ１が備える両面の一対の粘着層４、４´の効果で重ね巻きすればそれだけで水中で剥がれにくい着色物６を備えた粘着物となるので、それのみで、使用する事が出来るのは言うまでもない。尚、本発明着色両面テープ１は後述する使用例においても、００４４と同じ手段を用いる事で、それのみでの使用が可能である。
【００５１】
図１７では本発明着色両面テープ１を実施例１又は２と同じ手段で錘１０に取り付けた使用例を示す。前記錘１０はこの状態で使用される以外に、針７を前記錘１０に取り付けることで、鯛テンヤタコテンヤや太刀魚テンヤ等のテンヤ類の擬餌針が完成する。
【００５２】
図１８では本発明着色両面テープ１を実施例１又は２と同じ手段でテンビン１１に取り付けた使用例を示す。前記テンビン１１はこの状態で使用される以外に、針７を前記テンビン１１に取り付けることで、イカ釣りに使用するイカスッテや餌木類の擬餌針が完成する。
【００５３】
図１９では本発明着色両面テープ１を実施例１又は２と同じ手段でサルカン１３に取り付けた使用例を示す。前記サルカン１３はこの状態で使用される以外に、針７を前記サルカン１３に取り付けることで、ガシラ釣り等に使用するワーム状の疑似針が完成する。
【００５４】
尚、既成のテンヤ類、餌木類、ワーム状の擬餌針は、これらの既成のものに、本発明着色両面テープ１を取り付ける事で、実施例２で前述したルアー９のように、釣り場で即座にこれらの色を変える事が出来る。
【００５５】
又、００５１で述べた前記錘１０、又は００５２で述べた前記テンビン１１、又は００５３で述べた前記サルカン１３においては、本発明着色両面テープ１をそのまま取り付けるほかに、さらに、布や発泡スチロール等の、これらの形状を変えるものを発明着色両面テープ１に包み込んで使用する事で、これらの色はもちろん、形状を変えることも出来るので、００１６で前述した課題を解決することが出来る。
【００５６】
図２０では本発明着色両面テープ１を実施例１又は２と同じ手段で回転ビーズ１４に取り付けた使用例を示す。
図２１では本発明着色両面テープ１を実施例１又は２と同じ手段でテグス１２に取り付けた使用例を示す。
【００５７】
図２０、又は図２１では、テグス１２やハリス８の周辺に本発明着色両面テープ１を、実施例１又は２と同じ手段で巻き付ける事により、これらの周辺に着色物６を取り付ける事で、カワハギ釣りに用いられる着色物６を備える事で集魚を期待する集魚器として用いる事が可能である。
【００５８】
図２２は、図２１と同じくテグス１２に本発明着色両面テープ１を取り付けた使用例を示す。尚、これには糸状の疑似餌材料２ｃ、２ｄを備えておらず、００４４で前述したように本発明着色両面テープ１が備える両面粘着層４，４´の重ね巻き効果でテグスへの固定をしている。この手段は、疑似餌による集魚を期待するものではなく、本発明着色両面テープ１の配色を、着色物６、６´、６´´の三色を変えて、テグス１２に固定すると、水中や水面での使用を目的とする渓流釣り等のテグス１２に装着する目印としての使用が可能である。
【００５９】
図２３では、図２１と同様にテグス１２に本発明着色両面テープ１を取り付けた使用例を示す。尚、このテープには片方から突出した固定用の糸２ａを備えたものを示す。又、これには、木や発砲スチロールやプラスチツク等の浮力を持つものを本発明着色両面テープ１で包み込んでテグス１２に巻き付けている。この手段も、図２２と同じく疑似餌による集魚を期待するものではなく、００４４で前述した、粘着層４、４´の重ね巻き効果に加え、糸２ａが固定手段として、本発明着色両面テープ１に巻き付けられて結び止めをすることで、着色された浮力を持つものをテグス１２に固定させる事により、浮子や浮力を持つ目印としての使用が可能である。
【００６０】
実施例１、又は２においては、本発明着色両面テープ１は菱形又は三角形を使用したが、本発明着色両面テープ１は様々な形で使用する事が出来る。又、実施例１、又は２においては、糸状の疑似餌材料２ｃ、２ｄの単数での使用例であるが、糸２は、単数での使用に加えて、複数を組み合わせて使用する事で、これらを巻き付けるものの形状に対処した巻き付けが可能なうえに、複数の糸２により配色を多様に出来る事は言うまでもない。
【００６１】
次に、実施例３について説明する。図２４は、糸状の疑似餌材料２ｃ、２ｄを両端から突出させた三角形の形状の本発明着色両面テープ１を示す。
【００６２】
図２５は菱形の皮状の疑似餌材料１５を示す。図２４で示す糸状の疑似餌材料２ｃ、２ｄを備えた本発明着色両面テープ１の剥離紙５、５´の間にある着色粘着層４に、この菱形の皮状の疑似餌材料１５を備えさせることで、図２６に示す疑似餌材料付き本発明着色両面テープ１６が出来上がる。図２７は、前記図２６で示す疑似餌材料付き本発明着色両面テープ１６の断面図を示す。
【００６３】
図２８は、図２６で示す前記疑似餌材料付き本発明着色両面テープ１６の外側の、一対の剥離紙５．５´を剥がして、
糸状の疑似餌材料２ｄを三重のループ状に折り返して、内側の粘着層４に貼り付けたものを示す。
【００６４】
これを、実施例１で前述した手段を用いて作成すると、図２９、図３０で示す、菱形の皮状の疑似餌材料１５と、糸状の疑似餌材料２ｄ´を備えた着色物６を持つ擬餌針が完成する。
【００６５】
又、００４３で前述した手段と同じように、本発明着色両面テープ１を横に幅広くした場合は、図３０で示すように、幅広くハリス８の根元が強化されるので、魚の歯によるハリス８の切断を防ぐ擬餌針が完成する。
【００６６】
尚、前記疑似餌材料付き本発明両面テープ１６においても、００４４で前述したように、両面に粘着層を持つので、重ね巻きをすれば、両面に付けた粘着層の重ね巻き効果で針やハリスへの固定が補強出来る。よって、００４４で前述したように、この重ね巻きの後に、指先で巻いた部分を捻じ曲げれば、それだけで水中で剥がれにくい、別の疑似餌材料を備えた着色された粘着物となるので、前記糸状の疑似餌材料２ｃを備えなくても、それのみを前記重ね巻手段を用いる事で、擬餌針が完成する。
【００６７】
最後に本発明着色両面テープ１を複数備えた実施例４について説明する。
【００６８】
図３１は、ケプラー繊維の固定用の糸２ｅ、２ｆの末端と中央と先端に、違う色の３種類の着色物６、６´、６´´を備えた本発明着色両面テープ１、１´、１´´を備えさせている。
【００６９】
図３２では、針７に結ばれたハリス８の根元に、前述した００４１と同じ手段で、ハリス８の根元に着色物６を備えた本発明着色両面テープ１に前記糸２ｅを巻き付けた状態を示し、巻き付けた前記糸２ｅの先には、前記本発明着色両面テープ１´、１´´および前記糸２ｆが備え付けられている。
【００７０】
この図３２の状態から、着色物６´を備えた前記本発明着色両面テープ１´を二つ折りに折り込んで、ハリス８に貼り付けて前記糸２ｆを巻き付けた後、最後に本発明着色両面テープ１´´を用いて実施例２と同じ手段で粘着固定する。
【００７１】
これにより、三種類の着色物６，６´、６´´を備えた図３３で示す擬餌針が完成する。尚、この擬餌針においては、幅広くハリス８にケプラー繊維の糸２ｅ、２ｆが装着されるので、鋭利な歯を持つ魚によるハリス８の切断を防止する事が出来る擬餌針が完成する。
【００７２】
尚、第４実施例に示すような複数のテープを使用する場合は、本発明の効果を損なわない場合は、複数のテープの内の一部分のみが本発明着色両面テープ１を用いた形態であっても構わない。
【００７３】
本発明着色両面テープ１は着色物６を備えた両面粘着層４により、疑似餌としての使用法以外には、００５８、００５９で前述したように、水中や水面での使用するものに取り付ける際に、両面粘着層により固定が補強された着色物６を備えた目印として使える。この特性を利用して、テグス１２以外では、浮子への貼り付けの使用方法等があり、これらに夜光塗料の着色物６を備える本発明着色両面テープ１を使用した場合は、暗がりでの目印として使用出来る。
【００７４】
又、浮子のトップが折れた場合でも、折れた部分に両面粘着層４を巻き付けた後に、糸２を巻き付ける事で、着色物６を備えた上に、折れた部分の接合の補強が出来上がる。
【００７５】
このように、本発明着色両面テープ１は、様々な釣り具や、水場で使用するものに、着色物６を備えさせる効果を持ち、且つ、既成のテープに比べて、それらを水中で剥がれにくい補強された固定をすることが出来る。
【符号の説明】
【００７６】
１  本発明着色両面テープ
２  糸
３ 着色された基材
４ 粘着層  
５ 剥離紙  
６ 着色物         
７  針    
８  ハリス
９  ルアー    
１０  錘        
１１  テンビン
１２  テグス                   
１３  サルカン             
１４   回転ビーズ
１５  皮状の疑似餌材料                   
１６  疑似餌材料付き本発明着色両面テープ
Ａ  結び止め
【要約】 
【課題】
擬餌針作成には、針と疑似餌材料を密着させる第１工程、糸を使って針に疑似餌材料を固定させる第２工程、巻いた糸への接着作業の第３工程、ハリスの根元部分への着色作業の第４工程が必要であり、本発明は、これらの四工程を省略する事を第一課題とし、魚の歯によるハリスの切断の防止を第二課題とする。又、釣り場で即座に擬餌針やルアー等に配色や形状の変化をもたらすことを第三課題とする。
【解決手段】
剥離紙と剥離紙の間に両面粘着層を設け、その粘着層に着色物を備えて着色両面粘着層としたことを特徴とする疑似餌着色両面テープ作成する。  
【選択図】  図１【図１】
0005189695.tif 000002
【図２】
0005189695.tif 000003
【図３】
0005189695.tif 000004
【図４】
0005189695.tif 000005
【図５】
0005189695.tif 000006
【図６】
0005189695.tif 000007
【図７】
0005189695.tif 000008
【図８】
0005189695.tif 000009
【図９】
0005189695.tif 000010
【図１０】
0005189695.tif 000011
【図１１】
0005189695.tif 000012
【図１２】
0005189695.tif 000013
【図１３】
0005189695.tif 000014
【図１４】
0005189695.tif 000015
【図１５】
0005189695.tif 000016
【図１６】
0005189695.tif 000017
【図１７】
0005189695.tif 000018
【図１８】
0005189695.tif 000019
【図１９】
0005189695.tif 000020
【図２０】
0005189695.tif 000021
【図２１】
0005189695.tif 000022
【図２２】
0005189695.tif 000023
【図２３】
0005189695.tif 000024
【図２４】
0005189695.tif 000025
【図２５】
0005189695.tif 000026
【図２６】
0005189695.tif 000027
【図２７】
0005189695.tif 000028
【図２８】
0005189695.tif 000029
【図２９】
0005189695.tif 000030
【図３０】
0005189695.tif 000031
【図３１】
0005189695.tif 000032
【図３２】
0005189695.tif 000033
【図３３】
0005189695.tif 000034